(57)【要約】　　　（修正有）【課題】観光用途に設置した水車のエネルギーを体験観光用として有効な米穀の脱穀、精白、製粉などに利用するとともに、発電にも利用すること。【解決手段】水車加工機兼風力発電装置１は、水車１１によって得た動力を脱穀・製粉等の加工用に利用するとともに加工工程の一部に唐箕１３を含み、唐箕によって穀殻の弁別を行うと共に唐箕で生じた風を利用して風力発電を行うことによりエコロジー的なイメージアップに資することが出来た。また同時に、水車のエネルギーを唐箕で生じた風力を発電にも利用することにより、天候や地形等の影響を受けやすい風力発電をよりコンスタントなエネルギー源とした。【選択図】　図１
0003100534.tif 000002
【実用新案登録請求の範囲】
【請求項１】
　水車によって得た動力を脱穀・製粉等の加工用に利用するとともに加工工程の一部に唐箕を含み、唐箕によって穀殻の弁別を行うと共に唐箕で生じた風を利用して風力発電を行うことを特徴とする水車加工機兼風力発電装置。
【考案の詳細な説明】
【技術分野】
【０００１】
　本発明は、水車によって得た動力を脱穀・製粉等の加工用に利用するとともに加工工程の一部に唐箕を含み、唐箕によって穀殻の弁別を行うと共に唐箕で生じた風を利用して風力発電を行う水車加工機兼風力発電装置に関するものである。
【背景技術】
【０００２】
　水車は従来、農業などの分野で使用されてきた。特に日本に於いては水田の灌漑、米穀の脱穀、精白、米だけでなく麦や蕎麦の製粉などに広範に使用されて来た。近年になり農作業も機械化が進み、水車の使用例は減少してきているが、逆に観光用として注目を浴びつつある。
【０００３】
　また、広義で考えれば水力発電も水車の応用と言うことも出来る。水力発電や風力発電は自然に対するストレスが少なく、地球温暖化にも悪影響を及ぼさないエコロジカルなエネルギー源として注目されている。
【０００４】
　しかし、観光用途に設置した水車のエネルギーを体験観光用として有効な米穀の脱穀、精白、米だけでなく麦や蕎麦の製粉などに利用するとともに、発電にも利用し、エコロジー的なイメージアップに活用する試みはなかった。
【０００５】
　また、風力発電を電源とする方法も、エコロジー的なイメージ醸成に有効ではあるが、一般にコンスタントな風を受けることは困難であり、地形などの影響もあってどこでも使用できるものではなかった。これを解決しようとする試みとして、特開平１１−０４４２８８号公報に開示されるような水力を風力に変換した後風力発電する方法などが開示されている。
【特許文献１】特開平１１−０４４２８８号公報
【考案の開示】
【考案が解決しようとする課題】
【０００６】
　解決しようとする問題点は、観光用途に設置した水車のエネルギーを体験観光用として有効な米穀の脱穀、精白、米だけでなく麦や蕎麦の製粉などに利用するとともに、発電にも利用することができない点である。
【課題を解決するための手段】
【０００７】
　本考案は、水車によって得た動力を脱穀・製粉等の加工用に利用するとともに加工工程の一部に唐箕を含み、唐箕によって穀殻の弁別を行うと共に唐箕で生じた風を利用して風力発電を行うことを最も主要な特徴とする。
【考案の効果】
【０００８】
　本考案の水車加工機兼風力発電装置は、水車によって得た動力を脱穀・製粉等の加工用に利用するとともに加工工程の一部に唐箕を含み、唐箕によって穀殻の弁別を行うと共に唐箕で生じた風を利用して風力発電を行うことができるので、観光用途に設置した水車のエネルギーを体験観光用として有効な米穀の脱穀、精白、米だけでなく麦や蕎麦の製粉などに利用するとともに、発電にも利用することにより、エコロジー的なイメージアップに資するという利点がある。
【０００９】
　また同時に本考案の水車加工機兼風力発電装置は、水車のエネルギーを唐箕で生じた風力を発電にも利用することにより、天候や地形等の影響を受けやすい風力発電をよりコンスタントなエネルギー源とすることが出来るという利点がある。
【考案を実施するための最良の形態】
【００１０】
　観光用途に設置した水車のエネルギーを体験観光用として有効な米穀の脱穀、精白、米だけでなく麦や蕎麦の製粉などに利用するとともに、発電にも利用するという目的を、簡便且つエコロジカルな構成で実現した。
【実施例１】
【００１１】
　図１は、本考案装置の１実施例の概念図である。ここで、１１は動力源である水車、１２は駆動軸、１３は唐箕、１４は唐箕の風を起こす回転部、１５は穀物等を入れるための漏斗、１６は夾雑物を除去された穀物等の出口、１７は排風口、１８は風力発電装置である。
【００１２】
　動力源である水車１１は河川等に設置されるが、その形状、形態等は本考案には本質的に関係がなく、どのようなものを用いても問題ない。水車で生成された動力は駆動軸１２を介して唐箕１３に伝達され、利用される。
【００１３】
　唐箕１３に於いて、動力は回転部１４を回転させて風を起こすために利用され、発生した風によって漏斗１５から投入された穀殻等の夾雑物を含んだ穀物等が選別され、夾雑物を除いた穀物等が出口１６より得られる。また、夾雑物を含む排風は排風口１７より排出される。
【００１４】
　排風口１７より排出された風は、風力発電装置１８によって発電の用に供され、照明等の用途に利用される。なお、風力発電装置１８のその形状、形態等は本考案には本質的に関係がなく、どのようなものを用いても問題ない。本実施例に於いては市販の小型風力発電装置である英国ＬＶＭ社製エアロゼン２型を用いた。
【００１５】
　ここで、本実施例に於いては水車からの駆動軸を唐箕部に直結しているが、この中間に脱穀・製粉等の加工用に利用するための石臼、土摺臼、精米臼などを設置しても何等問題はなく、却って体験観光用等には有効である。
【００１６】
　本考案の水車加工機兼風力発電装置は、水車によって得た動力を脱穀・製粉等の加工用に利用するとともに加工工程の一部に唐箕を含み、唐箕によって穀殻の弁別を行うと共に唐箕で生じた風を利用して風力発電を行うことができるので、観光用途に設置した水車のエネルギーを体験観光用として有効な米穀の脱穀、精白、米だけでなく麦や蕎麦の製粉などに利用するとともに、発電にも利用することにより、エコロジー的なイメージアップに資することができた。
【００１７】
　また、本考案の水車加工機兼風力発電装置は、水車のエネルギーを唐箕で生じた風力を発電にも利用することにより、天候や地形等の影響を受けやすい風力発電をよりコンスタントなエネルギー源とすることが出来るという効果がある。
【００１８】
　図２には、参考のため唐箕の構成の概念図を示す。図に示したように、回転部で発生させた風により穀物の選別を行うものである。なお、図中の番号は図１に示した部位と一致している。
【産業上の利用可能性】
【００１９】
　本考案の水車加工機兼風力発電装置は、水車によって得た動力を脱穀・製粉等の加工用に利用するとともに加工工程の一部に唐箕を含み、唐箕によって穀殻の弁別を行うと共に唐箕で生じた風を利用して風力発電を行うことができるので、観光用途に設置した水車のエネルギーを体験観光用として有効な米穀の脱穀、精白、米だけでなく麦や蕎麦の製粉などに利用するとともに、発電にも利用することにより、エコロジー的なイメージアップに資することが出来、観光サービス業に於いて効果がある。
【図面の簡単な説明】
【００２０】
【図１】本考案装置の１実施例の概念図である。（実施例１）
【図２】唐箕の構成の概念図である。
【符号の説明】
【００２１】
　１１　　水車
　１２　　駆動軸
　１３　　唐箕
　１４　　唐箕の風を起こす回転部
　１５　　穀物等を入れるための漏斗
　１６　　夾雑物を除去された穀物等の出口
　１７　　排風口
　１８　　風力発電装置
【図１】
0003100534.tif 000003
【図２】
0003100534.tif 000004